【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ワックスが内添されたトナー粒子で形成されたトナー画像の定着に用いられる定着用部材であって、
フッ素ゴムからなる連続相にジメチルシリコーンゴムからなる分散相が分散してなり、該フッ素ゴムと該ジメチルシリコーンゴムとの配合割合が体積比で２０：８０〜８０：２０の範囲にあり、且つ、表面に該分散相が存在している表面層を具備していることを特徴とする定着用部材。
【請求項２】
前記表面層が、ビニリデンフルオライド、テトラフルオロエチレン及びフルオロアルキルビニルエーテルの三元共重合体からなるフルオロポリマーと、反応基としてビニル基を有するジメチルポリシロキサンと、ジメチルポリシロキサン部分とポリオキシアルキレン部分とを有するシリコーン系界面活性剤と、架橋剤とを含む表面層を形成するための溶液をコートし、乾燥させた後、架橋させることによって形成されたものである請求項１に記載の定着用部材。
【請求項３】
表面層として、フッ素ゴムとジメチルシリコーンゴムの混合物を有するゴム離型層が形成され、該ゴム離型層が、該フッ素ゴムの連続相に該ジメチルシリコーンゴムが島状に分散相を形成した構造を有しており、該ゴム離型層の断面における分散相の平均粒子径が２０μｍ以下であり、かつ該フッ素ゴムと該ジメチルシリコーンゴムの配合割合が、体積比で２０：８０〜８０：２０の範囲にあることを特徴とする定着用部材。
【請求項４】
前記フッ素ゴムが、ビニリデンフルオライド−テトラフルオロエチレン−パーフルオロアルキルビニルエーテルの三元共重合体である請求項３に記載の定着用部材。
【請求項５】
さらに、前記ゴム離型層がシリコーン系界面活性剤を含有する請求項３または４に記載の定着用部材。
【請求項６】
前記シリコーン系界面活性剤がジメチルポリシロキサン部分とポリオキシアルキレン部分が交互に繰り返した構造を有する請求項５に記載の定着用部材。
【請求項７】
前記シリコーン系界面活性剤の配合量が、前記フッ素ゴムと前記ジメチルシリコーンゴムの合計の質量に対して、０．１〜５．０質量％である請求項５または６に記載の定着用部材。
【請求項８】
前記ゴム離型層に含まれるフッ素ゴムとジメチルシリコーンゴムが共に有機過酸化物で架橋したものである請求項３〜７のいずれかに記載の定着用部材。
【請求項９】
前記定着用部材が、ローラもしくはベルトの形態を有する請求項１〜８のいずれかに記載の定着用部材。
【請求項１０】
請求項１〜９のいずれかに記載されている定着用部材が配置されているオイルレス定着方式の定着装置。
【請求項１１】
前記定着用部材が、定着ローラ、定着ベルト、加圧ローラ及び加圧ベルトから選ばれる少なくとも１つであることを特徴とする請求項１０に記載の定着装置。
【請求項１２】
請求項１０または１１に記載の定着装置を用いて、転写材にトナー画像を定着させるオイルレス定着方法。
【請求項１３】
前記トナー画像が、ワックスを内添したトナー粒子によって形成されたものである請求項１２に記載のオイルレス定着方法。
【請求項１４】
請求項１に記載の定着用部材の製造方法であって、
ビニリデンフルオライド、テトラフルオロエチレン及びフルオロアルキルビニルエーテルの三元共重合体からなるフルオロポリマーと、反応基としてビニル基を有するジメチルポリシロキサンとジメチルポリシロキサン部分とポリオキシアルキレン部分とを有するシリコーン系界面活性剤と、架橋剤とを含む表面層を形成するための溶液をコートし、乾燥させた後、架橋させて該表面層を形成する工程を有することを特徴とする定着用部材の製造方法。
【手続補正２】
【補正対象書類名】明細書
【補正対象項目名】発明の名称
【補正方法】変更
【補正の内容】
【発明の名称】定着用部材、定着装置、オイルレス定着方法および定着用部材の製造方法
【手続補正３】
【補正対象書類名】明細書
【補正対象項目名】０００１
【補正方法】変更
【補正の内容】
【０００１】
本発明は、複写機及びＬＢＰの如き電子写真画像形成装置における定着技術の分野において利用され、特にオイルレス定着方式でトナーを記録材上に定着可能なゴム製の離型層を有する定着用部材、定着装置、オイルレス定着方法および定着用部材の製造方法に関するものである。
【手続補正４】
【補正対象書類名】明細書
【補正対象項目名】００１４
【補正方法】変更
【補正の内容】
【００１４】
本発明の目的は、オイルレス定着方式に用いられるワックス含有トナーに対して、トナーオフセットを起こさず、トナー離型性に優れたゴム離型層を有する定着用部材を提供することである。本発明の別の目的は、このような定着用部材を備えたオイルレス定着方法、定着装置および該定着用部材の製造方法を提供することである。
【手続補正５】
【補正対象書類名】明細書
【補正対象項目名】００１６
【補正方法】変更
【補正の内容】
【００１６】
（１）ワックスが内添されたトナー粒子で形成されたトナー画像の定着に用いられる定着用部材であって、フッ素ゴムからなる連続相にジメチルシリコーンゴムからなる分散相が分散してなり、該フッ素ゴムと該ジメチルシリコーンゴムとの配合割合が体積比で２０：８０〜８０：２０の範囲にあり、且つ、表面に該分散相が存在している表面層を具備していることを特徴とする定着用部材。
【手続補正６】
【補正対象書類名】明細書
【補正対象項目名】００１７
【補正方法】変更
【補正の内容】
【００１７】
（２）前記表面層が、ビニリデンフルオライド、テトラフルオロエチレン及びフルオロアルキルビニルエーテルの三元共重合体からなるフルオロポリマーと、反応基としてビニル基を有するジメチルポリシロキサンと、ジメチルポリシロキサン部分とポリオキシアルキレン部分とを有するシリコーン系界面活性剤と、架橋剤とを含む表面層を形成するための溶液をコートし、乾燥させた後、架橋させることによって形成されたものである（１）に記載の定着用部材。
【手続補正７】
【補正対象書類名】明細書
【補正対象項目名】００１８
【補正方法】変更
【補正の内容】
【００１８】
（３）表面層として、フッ素ゴムとジメチルシリコーンゴムの混合物を有するゴム離型層が形成され、該ゴム離型層が、該フッ素ゴムの連続相に該ジメチルシリコーンゴムが島状に分散相を形成した構造を有しており、該ゴム離型層の断面における分散相の平均粒子径が２０μｍ以下であり、かつ該フッ素ゴムと該ジメチルシリコーンゴムの配合割合が、体積比で２０：８０〜８０：２０の範囲にあることを特徴とする定着用部材。フッ素ゴムにジメチルシリコーンゴムを細かく分散することで、ワックスとの親和性を適度に高めることができる。
【手続補正８】
【補正対象書類名】明細書
【補正対象項目名】００１９
【補正方法】変更
【補正の内容】
【００１９】
（４）前記フッ素ゴムが、ビニリデンフルオライド−テトラフルオロエチレン−パーフルオロアルキルビニルエーテルの三元共重合体である（３）に記載の定着用部材。
【手続補正９】
【補正対象書類名】明細書
【補正対象項目名】００２０
【補正方法】変更
【補正の内容】
【００２０】
（５）さらに、前記ゴム離型層がシリコーン系界面活性剤を含有する（３）または（４）に記載の定着用部材。フルオロポリマーとジメチルシリコーンゴムの両方に対して親和性を有するシリコーン系界面活性剤を配合することで、フルオロポリマー中へのジメチルシリコーンゴムの分散性を向上することができる。
【手続補正１０】
【補正対象書類名】明細書
【補正対象項目名】００２１
【補正方法】変更
【補正の内容】
【００２１】
（６）前記シリコーン系界面活性剤がジメチルポリシロキサン部分とポリオキシアルキレン部分が交互に繰り返した構造を有する（５）に記載の定着用部材。このような構造を持つシリコーン系界面活性剤を用いることで、分散性向上効果をより高めることができる。
【手続補正１１】
【補正対象書類名】明細書
【補正対象項目名】００２２
【補正方法】変更
【補正の内容】
【００２２】
（７）前記シリコーン系界面活性剤の配合量が、前記フッ素ゴムと前記ジメチルシリコーンゴムの合計の質量に対して、０．１〜５．０質量％である（５）または（６）に記載の定着用部材。この範囲とすることで、ジメチルシリコーンゴムの分散性を向上することができる。
【手続補正１２】
【補正対象書類名】明細書
【補正対象項目名】００２３
【補正方法】変更
【補正の内容】
【００２３】
（８）前記ゴム離型層に含まれるフッ素ゴムとジメチルシリコーンゴムが共に有機過酸化物で架橋したものである（３）〜（７）のいずれかに記載の定着用部材。フッ素ゴムとジメチルシリコーンゴムの架橋を統一することができ、ブレンドゴムの強度を高めることができる。
【手続補正１３】
【補正対象書類名】明細書
【補正対象項目名】００２４
【補正方法】変更
【補正の内容】
【００２４】
（９）前記定着用部材が、ローラもしくはベルトの形態を有する（１）〜（８）のいずれかに記載の定着用部材。
【手続補正１４】
【補正対象書類名】明細書
【補正対象項目名】００２５
【補正方法】変更
【補正の内容】
【００２５】
（１０）（１）〜（９）のいずれかに記載されている定着用部材が配置されているオイルレス定着方式の定着装置。このような定着装置を用いることで、高画質な画像を得ることができる。
【手続補正１５】
【補正対象書類名】明細書
【補正対象項目名】００２６
【補正方法】変更
【補正の内容】
【００２６】
（１１）前記定着用部材が、定着ローラ、定着ベルト、加圧ローラ及び加圧ベルトから選ばれる少なくとも１つであることを特徴とする（１０）に記載の定着装置。
【手続補正１６】
【補正対象書類名】明細書
【補正対象項目名】００２７
【補正方法】変更
【補正の内容】
【００２７】
（１２）（１０）または（１１）に記載の定着装置を用いて、転写材にトナー画像を定着させるオイルレス定着方法。このような定着方法を用いることで、高画質な画像を得ることができる。
【手続補正１７】
【補正対象書類名】明細書
【補正対象項目名】００２８
【補正方法】変更
【補正の内容】
【００２８】
（１３）前記トナー画像が、ワックスを内添したトナー粒子によって形成されたものである（１２）に記載のオイルレス定着方法。
【手続補正１８】
【補正対象書類名】明細書
【補正対象項目名】００２９
【補正方法】変更
【補正の内容】
【００２９】
（１４）上記（１）の定着用部材の製造方法であって、ビニリデンフルオライド、テトラフルオロエチレン及びフルオロアルキルビニルエーテルの三元共重合体からなるフルオロポリマーと、反応基としてビニル基を有するジメチルポリシロキサンとジメチルポリシロキサン部分とポリオキシアルキレン部分とを有するシリコーン系界面活性剤と、架橋剤とを含む表面層を形成するための溶液をコートし、乾燥させた後、架橋させて該表面層を形成する工程を有することを特徴とする定着用部材の製造方法。
【手続補正１９】
【補正対象書類名】明細書
【補正対象項目名】００３０
【補正方法】削除
【補正の内容】
【手続補正２０】
【補正対象書類名】明細書
【補正対象項目名】００４６
【補正方法】変更
【補正の内容】
【００４６】
次に、フッ素ゴムとジメチルシリコーンゴムのそれぞれの架橋については特に限定されるものではないが、ともに有機過酸化物で架橋したものとすることで、連続相と分散(島)相の界面においても架橋され、ブレンドゴムの強度を高めることができ、耐久性に優れたゴム離型層を形成することができるので、好ましい。